(57)【要約】【課題】本発明は、光ビームを感光体上に走査して画像記録する記録装置に関し、光学素子の支持部材を装置本体に２箇所で嵌着固定することにより、その嵌着固定およびその解除を容易にして、組立および分解が容易で安価な記録装置を提供することを目的とし、かつ、光ビームの妨げをなくすことを目的とする。【解決手段】光ビームｒを出射する光源２１と、光ビームｒを偏光走査する偏光手段２２と、光源２１および感光体の間に介装されたレンズ２３およびミラー２４とを備え、レンズ２３やミラー２４を板バネ５により支持するとともに光学ケース１に固定される支持部材４と、光学ケース１に所定間隔に設けられた一対の嵌着ボス３２と、嵌着ボス３２と同一間隔に支持部材４に設けられて嵌着ボス３２に嵌着して支持部材４を光学ケース１に嵌着固定する一対のグリップ爪３１と、を設け、このグリップ爪３１を、嵌着ボス３２が互いに離隔する方向に湾曲可能に形成した。【選択図】　　　図３
2004001526.tif 000002
【特許請求の範囲】
【請求項１】
記録信号に応じて変調した光ビームを出射する光源と、光ビームを偏光して副走査方向に移動する感光体に該光ビームを主走査方向に走査する偏光手段と、光源および感光体の間に介装された光学素子と、内部に光源、偏光手段、および光学素子を配設されて防塵カバーにより閉塞された光学ケースと、光学ケースまたは防塵カバーに開口する開口部に位置する透明ガラスとを備え、光ビームを透明ガラスを介して感光体上に走査することにより記録信号に応じた画像を該感光体上に形成して画像記録する記録装置において、
前記光学ケースおよび防塵カバーの双方に、透明ガラスを支持する支持部を設け、光学ケースを防塵カバーにより閉塞したとき、該支持部の双方により透明ガラスを支持することを特徴とする記録装置。
【請求項２】
前記光学ケース側の支持部を、光学ケースの少なくとも１つの側板部の肉厚全面を略透明ガラスの厚さだけ切り欠いて形成し、
該肉厚全面を切り欠かれた支持部側に、透明ガラスの平面方向と略直交する側面に当接して該透明ガラスの平面方向への移動を規制する規制手段を設けたことを特徴とする請求項２記載の記録装置。
【請求項３】
前記光学ケースに光源、偏光手段、および光学素子を配設して、防塵カバーに前記開口部を形成したことを特徴とする請求項１または請求項２に記載の記録装置。
【発明の詳細な説明】
【０００１】
【産業上の利用分野】
本発明は、記録装置に関し、詳しくは、光ビームを感光体上に走査して画像記録する記録装置に関する。
【０００２】
【従来の技術】
従来、光ビームを出射する光源と、光ビームを感光体に偏光走査する偏光手段（例えば、回転多面鏡）と、光源や感光体と偏光手段との間に介装されたレンズやミラーの光学素子と、から構成された光走査装置を備えた記録装置、例えばファクシミリ装置、コピー機、プリンタ等が知られており、この記録装置は光ビームの走査により形成した感光体上の画像を記録紙に転写して画像記録する。
【０００３】
この種の記録装置としては、図２７に示すようなものがあり、この記録装置は、光走査装置を構成する光源、偏光手段、レンズ、およびミラーを光学ケース１内に固定するとともに、感光体上を走査する光ビームの光路を確保する開口部２ａに透明ガラス３が固定された防塵カバー２によりその光学ケース１を閉塞している。（例えば、特開昭６４−８２００９号公報参照。）
【０００４】
このような記録装置は、レンズ等をネジ止め固定するのが一般的であるが、近年の低コスト化の要求に答えるべく、ネジ等の部品を削減するとともに組付を容易にしてコスト低減を図っているものがあり、図２８および図２９に示すように、支持部材４の板バネ（支持手段）５によりレンズ６またはミラー７を光学ケース１に設けられた基準部材８の基準面８ａに押し付けて支持するとともに、さらにその支持部材４を光学ケース１に設けられた棒状の嵌着ボス９にグリップ爪（嵌着爪）１０を差し込むだけで嵌着固定している。また、防塵カバー２の透明ガラス３は、図３０に示すように、開口部２ａの外周に形成された枠溝２ｂ内に透明ガラス３を介して枠１１をはめ込んで固定するようになっており、枠１１は枠溝２ｂに形成された棒状の嵌着ボス１２を孔１１ａ内に挿通させた後、その嵌着ボス１２にグリップ爪１３を差し込んで固定している。（レンズの固定は、例えば、特開昭６２−５０７１３号公報参照。）
【０００５】
【発明が解決しようとする課題】
しかしながら、このような従来例にあっては、支持部材４や透明ガラス３をグリップ爪１０、１３を嵌着ボス９、１２に嵌着して固定させているため、容易に分解することができず、分解清掃、リサイクル、および異種材料の分別等が困難であるという問題があった。また、嵌着ボス９、１２を折ったとしてもグリップ爪１０、１３との嵌着位置より上側で折れてしまうことがある。
【０００６】
また、グリップ爪１０は嵌着ボス９に１箇所で嵌着することから、支持部材４が回転してしまいという問題があった。さらに、図３１に示すように、嵌着ボス９およびグリップ爪１０がレンズ６を透過する光ビームｒの妨げになってしまうという問題もあった。
【０００７】
そこで、本発明は、防塵カバーによる光学ケースの閉塞および開放とともに透明ガラスの固定および固定解除することにより、透明ガラスの着脱を容易にして、組立および分解が容易で安価な記録装置を提供することを目的とする。さらに、請求項５記載の発明は透明ガラスの平面と光学ケースとの当接面積を大きくして、補強することなく安価な透明ガラスを設置できるようにすることを目的とする。
【０００８】
【課題を解決するための手段】
上記目的達成のため、本発明は、記録信号に応じて変調した光ビームを出射する光源と、光ビームを偏光して副走査方向に移動する感光体に該光ビームを主走査方向に走査する偏光手段と、光源および感光体の間に介装された光学素子と、内部に光源、偏光手段、および光学素子を配設されて防塵カバーにより閉塞された光学ケースと、光学ケースまたは防塵カバーに開口する開口部に位置する透明ガラスとを備え、光ビームを透明ガラスを介して感光体上に走査することにより記録信号に応じた画像を該感光体上に形成して画像記録する記録装置において、前記光学ケースおよび防塵カバーの双方に、透明ガラスを支持する支持部を設け、光学ケースを防塵カバーにより閉塞したとき、該支持部の双方により透明ガラスを支持することを特徴とするものである。
【０００９】
本発明は、前記光学ケース側の支持部を、光学ケースの少なくとも１つの側板部の肉厚全面を略透明ガラスの厚さだけ切り欠いて形成し、該肉厚全面を切り欠かれた支持部側に、透明ガラスの平面方向と略直交する側面に当接して該透明ガラスの平面方向への移動を規制する規制手段を設けたことを特徴とするものである。
【００１０】
さらに、本発明は、前記光学ケースに光源、偏光手段、および光学素子を配設して、防塵カバーに前記開口部を形成したことを特徴とするものである。
【００１１】
【作用】
本発明では、防塵カバーにより光学ケースを閉塞したとき、光学ケースおよび防塵カバーの双方に設けられた支持部によって透明ガラスが支持される。したがって、防塵カバーによる光学ケースの閉塞および開放とともに透明ガラスを固定および固定解除することができる。
【００１２】
本発明では、光学ケース側の少なくとも１つの側板部の肉厚全面が略透明ガラスの厚さだけ切り欠かれてその支持部が形成され、透明ガラスの平面方向への移動はその支持部側に設けられた透明ガラスの側面に当接する規制手段により規制される。したがって、透明ガラスは光学ケースの肉厚全面で支持される。
【００１３】
本発明では、光学ケースに光源、偏光手段、および光学素子が配設されて、防塵カバーに開口部が形成される。したがって、光源、偏光手段、および光学素子等を光学ケース内に制限なく配設することができる。
【００１４】
【実施例】
以下、本発明を図面に基づいて説明する。
【００１５】
図１〜図１１は、本発明に係る記録装置の参考例を示す図である。なお、本実施例は、光走査装置を搭載している例えば、ファクシミリ装置、コピー機、プリンタ等の記録装置の一例であり、装置全体の基本的な構成については公知であるので、本実施例の特徴部分である光走査装置について詳述する。また、本実施例では上述従来例と同様な構成には同一の符号を付してその説明を省略する。
【００１６】
まず、図１および図２において、２１は光源であり、光源２１は装置本体からの記録信号に応じて変調した光ビームｒを出射する。２２は偏光手段であり、偏光手段２２は例えば、回転多面鏡等からなり、光源２１からｎ光ビームｒをシリンドリカルレンズ２３を介して入射されてその光ビームｒを偏光・走査する。２４は折り返しミラ−であり、折り返しミラー２４は偏光手段２２により偏光・走査された光ビームｒを結像レンズ２５を介して入射されて装置本体が副走査方向に移動させる図示していない感光体方向にその光ビームｒを反射して主走査方向に照射（走査）する。また、２６は光ビーム検知手段であり、光ビーム検知手段２６は例えば、ＣＣＤ等の受光センサからなり、前記感光体の駆動と光ビームｒの走査タイミングを同期させるために、同期ミラ−２７が反射する走査毎の光ビームｒを検知する。これら光源２１、偏光手段２２、シリンドリカルレンズ２３、折り返しミラー２４、結像レンズ２５、光ビーム検知手段２６、および同期ミラ−２７は、防塵カバー２により閉塞される光学ケース１内に固定されており、防塵カバー２には前記感光体を走査する光ビームｒの光路を確保する開口部２ａが形成されて、その開口部２ａには透明ガラス３が取り付けられている。この記録装置は、公知のものであるため図示および詳述しないが、画データ等の記録信号に応じて光ビームｒを前記感光体上に走査することによって静電潜像を形成し、その静電潜像を顕像化した後に搬送する記録紙へ転写して画像記録するようになっている。なお、シリンドリカルレンズ２３、折り返しミラー２４、結像レンズ２５、および同期ミラ−２７が光学素子を構成している。
【００１７】
参考として、また、図３および図４おいて、３１は一対のグリップ爪（嵌着爪）、３２は棒状に形成された一対の嵌着ボスであり、グリップ爪３１は支持部材４の基部の幅間隔に、すなわち上述従来例のグリップ爪１０を半分にされてその基部の対向する側端部に設けられており、嵌着ボス３２はグリップ爪３１と同一間隔に光学ケース１に形成されている。グリップ爪３１は、嵌着ボス３２の互いに対向する外周面側のみに嵌着してその互いに離隔する外周面側は外部に開放している。
【００１８】
そして、このグリップ爪３１は、参考として、嵌着ボス３２に差し込むだけで嵌着させることができ、嵌着ボス３２に嵌着することによって板バネ５によりシリンドリカルレンズ２３または折り返しミラ−２４の端部を光学ケース１に設けられた基準部材８の基準面８ａに押し付けて脱着可能に支持する支持部材４を光学ケース１に嵌着固定する。また、グリップ爪３１および嵌着ボス３２は２箇所で嵌着することから支持部材４を位置決め固定することができる。また、図示していないが、同期ミラ−２７も同様に支持部材４により支持され光学ケース１に嵌着固定されており、結像レンズ２５は、プラスチックにより成形されて光学ケース１には接着固定されている。なお、この結像レンズ２５やガラスからなる結像レンズの場合にもその両端を同様に支持部材４により支持させてもよいことはいうまでもない。
【００１９】
また、このグリップ爪３１および嵌着ボス３２は、参考として、グリップ爪３１が嵌着ボス３２の互いに対向する外周面側のみに嵌着することから、その嵌着ボス３２を互いに離隔する方向に湾曲させることができ、湾曲させることによってグリップ爪３１からその嵌着ボス３２を離隔させてグリップ爪３１との嵌着を解除することができる。また、この嵌着ボス３２は、光学ケース１側の根元から湾曲するのでその根元の近傍から折ることができ、グリップ爪３１との嵌着を解除することができる。なお、グリップ爪３１は、互いに近接する側に空間を形成して嵌着ボス３２の外周面の互いに離隔する側のみに嵌着するようにしてその嵌着ボス３２を互いに近接する方向に湾曲可能に構成してもよい。
【００２０】
また、このグリップ爪３１および嵌着ボス３２は、支持部材４の基部間隔で離隔しているので、図５に示すように、枠状に形成された板バネ５間を通過する光ビームｒの光路から離隔してその光ビームｒの妨げになることがない。
【００２１】
また、図６〜図９において、３３は防振部材であり、防振部材３３は偏光手段２２を位置決め固定する光学ケース１の取付穴３４の基準面３５に刻設された溝３５ａ内に設置されている。この光学ケース１（取付穴３４）の基準面３５ａは、回転多面鏡３６および駆動モータ３７からなる偏光手段２２を搭載したボード３８をネジ止め固定する際、偏光手段２２の基準面２２ａ（駆動モータ３７の下面）と当接してその偏光手段２２を位置決めする。
【００２２】
防振部材３３および溝３５ａは、図１０に示すように、
【００２３】
防振部材３３の肉厚Ａ１＜溝３５ａの溝幅Ａ２　　　……（１）
【００２４】
防振部材３３の高さＢ１＞溝３５ａの深さＢ２　　　……（２）
【００２５】
防振部材３３の肉厚Ａ１＞防振部材３３の高さＢ１　……（３）
【００２６】
の寸法条件を満たすように形成することが好ましく、偏光手段２２を光学ケース１に固定すると、図１１に示すように、偏光手段２２の基準面２２ａおよび光学ケース１の基準面３５が互いに当接するとともに、防振部材３３がその基準面２２ａ、３５によって圧縮された状態となる。そして、偏光手段２２は光学ケース１に対する基準位置に位置決め固定されるとともに、防振部材３３が偏光手段２２側や装置本体側（駆動系等）からの振動を効率良く吸収する。この防振部材３３の材料としては、防振特性に優れたウレタン系衝撃吸収エラストマー（粘弾性ポリウレタンエラストマー）等が好ましい。なお、上記（１）〜（３）式を満足していない場合には、図１２中に矢印Ｃで示すように、防振部材３３を基準面２２ａ、３５の間に挟んで固定してしまう虞がある。また、この防振部材３３は、コスト低減のために図１３に示す安価な汎用Ｏリング３９に代えてもよく、このＯリング３９は
【００２７】
Ｏリング３９の直径Ｄ＞溝３５ａの深さＢ２　　　……（４）
【００２８】
のものを用いることが好ましい。
【００２９】
さらに、参考として、この防振部材３３は吸収した振動エネルギを熱エネルギに変換することから、図１４および図１５に示すように、その熱エネルギを放出する手段として溝３５ａの側面と取付穴３４の内面とを連通する熱放出孔４０ａを複数設けたり、溝３５ａの底面に臨み防振部材３３に密着して前記熱エネルギを放出する金属（例えば、熱伝導率の高い銅等）４０ｂを複数埋設してもよい。
【００３０】
このように参考例では、シリンドリカルレンズ２３、折り返しミラー２４、および同期ミラー２７を支持部材４により支持するとともにその支持部材４はグリップ爪３１を嵌着ボス３２に差し込むだけで嵌着固定されて位置決めされるので、シリンドリカルレンズ２３、折り返しミラー２４、および同期ミラー２７を光学ケース１に容易に組み付けることができる。そして、グリップ爪３１は嵌着ボス３２の互いに対向する外周面側のみに嵌着するので、その嵌着ボス３２を互いに離隔する方向に湾曲させることによりグリップ爪３１から離隔させてその嵌着を容易に解除することができる。また、この嵌着ボス３２を折るばあいには光学ケース１側の根元近傍から折れるので、グリップ爪３１との嵌着を解除することができる。したがって、光学素子の組立および分解を低コストに、かつ、容易に行なうことができる。
【００３１】
また、支持部材４はグリップ爪３１および嵌着ボス３２が２箇所で嵌着するので、従来例のように、１箇所の嵌着によって生じる支持部材４の回転を防止することができ、折り返しミラ−２４を不均等に押圧してしまうことがない。さらに、グリップ爪３１および嵌着ボス３２は所定間隔で離隔しているので、シリンドリカルレンズ２３を透過する光ビームｒの妨げになることがない。
【００３２】
さらに、透明ガラス３を取り付ける開口部２ａは防塵カバー２に形成しているので、光源２１、偏光手段２２、シリンドリカルレンズ２３、折り返しミラー２４、結像レンズ２５、光ビーム検知手段２６、および同期ミラ−２７を光学ケース１内に開口部２ａにより固定位置を制限されることなく配設することができ、これらのレイアウトの自由度が大きくなる。したがって、スペースを有効利用して組立および分解等の作業性を向上させることができ、また小型にすることができる。
【００３３】
また、偏光手段２２は光学ケース１に互いの基準面２２ａ、３５を当接させて固定されるとともに、基準面３５の溝３５ａ内に設置された防振部材３３がその基準面２２ａ、３５によって圧縮された状態となるので、その防振部材３３により偏光手段２２側や装置本体側（駆動系等）からの振動を効率良く吸収することができる。そのため、図１６および図１７に示すように、防振部材３３を設置することなく偏光手段２２を光学ケース１に固定した場合の前記振動による光ビームｒの副走査方向のピッチムラの発生を防止することができ、また図示はしていないが、特開平１−１９５４１０号公報に記載されている記録装置のように偏光手段２２を光学ケース１に当接させることなく防振部材を介して固定したことにより偏光手段２２が不安定な状態となることがない。さらに、この防振部材３３の熱エネルギを放出する熱放出孔４０ａや銅等の金属４０ｂを複数配設することにより、効率良く熱放出して防振部材３３等の熱膨張を抑えることができ、また、熱上昇による偏光手段の誤動作を防止することができる。
【００３４】
なお、一方の嵌着ボス３２を湾曲させるだけで嵌着ボス３２の間隔をグリップ爪３１の間隔よりも大きくすることができるので、一方をグリップ爪３１として他方をグリップ爪１０としてもよい。
【００３５】
次に、図１８は本発明に係る記録装置の参考例を示す図である。なお、本実施例は、上述参考例と略同様に構成されているため、同様な構成には同一の符号を付してその説明を省略し、特徴部分についてのみ詳述する。
【００３６】
図１８において、４２は嵌着ボスであり、嵌着ボス４２は上述第１実施例の嵌着ボス３２と略同様に形成されており、その嵌着ボス３２は図１９（ａ）に示すＥ方向からの図１９（ｂ）に示すＥ矢視図では円形となるが、この嵌着ボス４２は互いに離隔する側（前記湾曲方向側）を切り欠いて図１９（ｂ）と同様の矢視図では半円状になるよう形成されている。
【００３７】
本参考例では、上述参考例の作用効果に加えて、嵌着ボス４２を湾曲方向側を切り欠いているので、より容易に嵌着ボス４２を湾曲および折り曲げすることができ、グリップ爪３１との嵌着を容易に解除することができる。したがって、分解作業をより容易に行なうことができる。
【００３８】
なお、一方の嵌着ボス４２を湾曲させるだけで嵌着ボス４２の間隔をグリップ爪３１の間隔よりも大きくすることができるので、一方の嵌着ボス４２の湾曲方向側を切り欠くのみでよく、また作業の方向性をなくすため嵌着ボス４２双方の湾曲方向側を切り欠いてもよい。
【００３９】
次に、図２０および図２１は本発明に係る記録装置の参考例を示す図である。なお、本参考例は、上述参考例と略同様に構成されているため、同様な構成には同一の符号を付してその説明を省略し、特徴部分についてのみ詳述する。
【００４０】
図２０において、４３は溝であり、溝４３は少なくとも一方の嵌着ボス３２近傍の前記湾曲方向に隣接して刻設されており、支持部材４を固定する光学ケース１の固定面（装置本体の基体）１ａ側に空間を形成する。この溝４３は、嵌着ボス３２近傍の段差を構成している。
【００４１】
本参考例では、上述実施例の作用効果に加えて、嵌着ボス３２の湾曲方向に隣接して溝４３が形成されているので、嵌着ボス３２を湾曲させるために使用する工具（例えば、ペンチやピンセット等）４４を、図２１に示すように、溝４３により形成された空間を利用して光学ケース１の固定面１ａに先端の移動を制限されることなく自由に使用することができ、より容易に嵌着ボス３２を湾曲および折り曲げしてグリップ爪３１との嵌着を解除することができる。したがって、分解作業をより容易に行なうことができる。
【００４２】
なお、一方の嵌着ボス３２を湾曲させるだけで嵌着ボス３２の間隔をグリップ爪３１の間隔よりも大きくすることができるので、溝４３は一方の嵌着ボス３２の近傍に形成するのみでよく、また作業の方向性をなくすため嵌着ボス３２双方の近傍に溝４３を形成してもよい。また、この溝４３は光学ケース１を密閉するために底面を有する溝としてもよく、また外部に開放している溝としてもよい。
【００４３】
また、本参考例の他の態様としては、図２２に示すように、前記段差として台４５を光学ケース１に設けて支持部材４を固定する固定面１ａを高くして嵌着ボス３２近傍に隣接する空間を形成してもよく、このように構成することにより図２３に示すように、本参考例と同様な作用効果に加えて、作業の方向性をなくすことができる。
【００４４】
次に、図２４は本発明に係る記録装置の第１実施例を示す図である。なお、本実施例は、上述参考例と略同様に構成されているため、同様な構成には同一の符号を付してその説明を省略し、特徴部分についてのみ詳述する。
【００４５】
図２４において、４６は支持部であり、支持部４６は光学ケース１に透明ガラス３をはめ込むことができるように光学ケース１の側板部１ｂの内側を透明ガラス３の厚さより若干大きめに切り欠かれて形成されており、この支持部４６は透明ガラス３の一面側にその底面が当接して支持する。また、透明ガラス３の他面側は、光学ケース１の支持部４６に透明ガラス３をはめ込んだ後、防塵カバー２を側板部１ｂに密着させて光学ケース１を閉塞したとき、防塵カバー２の図面の裏面側が当接して支持される。すなわち、前記裏面は、防塵カバー２の支持部を構成している。また、光学ケース１の支持部４６の側面が、透明ガラス３の平面と直交する側面に当接してその平面方向への移動を規制する。
【００４６】
本実施例では、上述実施例の作用効果に加えて、光学ケース１を防塵カバー２により閉塞したとき、透明ガラス３を光学ケース１の支持部４６および防塵カバー２の前記裏面により挟持して支持するので、防塵カバー２による光学ケース１の閉塞および開放とともに透明ガラス３を固定および固定解除することができる。したがって、透明ガラス３を容易に着脱することができる。
【００４７】
なお、本実施例では、切り欠いて形成した支持部４６を光学ケース１側に設けているが、防塵カバー２側に形成してもよい。
【００４８】
次に、図２５および図２６は本発明に係る記録装置の第２実施例を示す図であり、本実施例は請求項４〜６の何れかに記載の発明に対応する。なお、本実施例は、上述第１実施例と略同様に構成されているため、同様な構成には同一の符号を付してその説明を省略し、特徴部分についてのみ詳述する。
【００４９】
両図において、５６は支持部であり、支持部５６は上述第４実施例の支持部４６と略同様に光学ケース１の側板部１ｂに形成されているが、この支持部５６は、図２５（ｂ）に示すように、透明ガラス３の長辺に対応する側板部１ｂの肉厚全面を透明ガラス３の厚さよりも若干大きく切り欠いて形成した支持部５６ａと、透明ガラス３の短辺に対応する側板部１ｂの内側を支持部４６と同様に透明ガラス３の厚さより若干大きめに切り欠かいて形成した支持部５６ｂと、から構成されている。この光学ケース１の支持部５６ａはその前記肉厚全面が透明ガラス３に当接して支持する。
【００５０】
また、５７ａ、５７ｂは係合手段であり、係合手段５７ａは支持部５６ａに対応する光学ケース１の側板部１ｂの外方側面に、係合手段５７ｂは係合手段５７ａに対応するよう防塵カバー２に設けられており、防塵カバー２により光学ケース１を閉塞したとき、係合手段５７ａ、５７ｂは互いに係合する所謂、スナップフィット５７を構成している。
【００５１】
そして、このスナップフィット５７は、光学ケース１の支持部５６ｂに透明ガラス３をはめ込み支持部５６ａに設置した後、防塵カバー２を側板部１ｂに密着させて光学ケース１を閉塞したとき、係合手段５７ａ、５７ｂは互いに係合する。このとき、光学ケース１の支持部５６ａはその肉厚全面を切り欠かれて形成されていることから、透明ガラス３は平面方向に移動可能であるがスナップフィット５７が透明ガラスの側面に当接してその移動を規制する。すなわち、スナップフィット５７は規制手段を構成している。
【００５２】
本実施例では、上述実施例の作用効果に加えて、光学ケース１の支持部５６は透明ガラス３の長手方向を肉厚全面で支持するので、透明ガラス３を補強する部材を用いることなく支持することができ、安価な透明ガラス３を安定して支持することができる。また、透明ガラス３は光学ケース１の支持部５６ａから外部に臨んでいるがその平面方向への移動はスナップフィット５７により規制される。
【００５３】
なお、上述実施例では、防塵カバーにより閉塞される光学ケースに光源、偏光手段、光学素子等を固定しているが、これらを防塵カバーに固定して開口部を光学ケースに開口させるようにしてもよい。また、嵌着ボスおよび嵌着爪による光学素子の固定は光学ケースおよび防塵カバーを用いない記録装置に適用可能であることはいうまでもない。
【００５４】
【発明の効果】
本発明によれば、光学ケースおよび防塵カバーの双方の支持部が透明ガラスを支持するので、防塵カバーによる光学ケースの閉塞および開放によって透明ガラスを固定および固定解除することができる。したがって、透明ガラスを容易に着脱することができる。
【００５５】
本発明によれば、光学ケースの肉厚全面により透明ガラスを支持するとともに、透明ガラスの側面に規制手段が当接して透明ガラスの平面方向への移動を規制するので、透明ガラスを補強することなく支持することができ、安価な透明ガラスを安定して支持することができる。
【００５６】
本発明によれば、光学ケースに光源、偏光手段、および光学素子を配設して、防塵カバーに開口部を形成するので、光源、偏光手段、および光学素子等を光学ケース内に制限なく配設することができ、レイアウトの自由度が大きくなる。したがって、スペースを有効利用して組立および分解等の作業性を向上させることができる。また、小型化を図ることもできる。
【図面の簡単な説明】
【図１】本発明に係る記録装置の参考例を示す図であり、その特徴部分である光走査装置の全体構成を示す図である。
【図２】その縦断面図である。
【図３】その光学素子の固定を示す斜視図である。
【図４】図３と異なる光学素子の固定を示す斜視図である。
【図５】図３に示す固定による作用を説明する説明図である。
【図６】その偏光手段を示す分解斜視図である。
【図７】その偏光手段の固定部位に設置される部材を示す斜視図である。
【図８】その偏光手段を分解した状態を示す一部断面側面図である。
【図９】その偏光手段を固定した状態を示す一部断面側面図である。
【図１０】その偏光手段の固定部位および図７に示す部材を示す一部拡大断面図である。
【図１１】その偏光手段を固定した状態を示す一部拡大断面図である。
【図１２】その偏光手段の固定部位および図７に示す部材を説明する一部拡大断面図である。
【図１３】図７に示す部材の他の例を示す一部拡大断面図である。
【図１４】その偏光手段の固定部位に適用する好適な一例を示す一部拡大断面図である。
【図１５】図１４と異なる偏光手段の固定部位に適用する好適な一例を示す一部拡大断面図である。
【図１６】その偏光手段の固定を説明する分解した状態の一部断面側面図である。
【図１７】その偏光手段の固定を説明する固定した状態の一部断面側面図である。
【図１８】本発明に係る記録装置の第２実施例を示す図であり、その要部を示す一部拡大平面図である。
【図１９】図１８を説明するための第１実施例の要部を示す図であり、（ａ）はその一部拡大斜視図、（ｂ）そのＥ矢視図である。
【図２０】本発明に係る記録装置の第１実施例を示す図であり、その要部を示す斜視図である。
【図２１】その作用を説明する説明図である。
【図２２】その他の態様を示す斜視図である。
【図２３】その他の態様の作用を説明する説明図である。
【図２４】本発明に係る記録装置の第１実施例を示す図であり、（ａ）はその分解斜視図、（ｂ）はそのＦ矢視図である。
【図２５】本発明に係る記録装置の第２実施例を示す図であり、（ａ）はその分解斜視図、（ｂ）はそのＧ矢視図である。
【図２６】その外観の斜視図である。
【図２７】記録装置の従来例を示す外観の斜視図である。
【図２８】その光学素子の固定を示す斜視図である。
【図２９】図２８と異なる光学素子の固定を示す斜視図である。
【図３０】その透明ガラスの固定を示す分解斜視図である。
【図３１】図２８に示す光学素子の固定の課題を説明する説明図である。
【符号の説明】
１　　光学ケース（装置本体側）
１ｂ　　側板部
２　　防塵カバー（装置本体側）
２ａ　　開口部
３　　透明ガラス
４　　支持部材
５　　板バネ（支持手段）
２１　　光源
２２　　偏光手段
２３　　シリンドリカルレンズ（光学素子）
２４　　折り返しミラー（光学素子）
２５　　結像レンズ
２６　　光ビーム検知手段
２７　　同期ミラー（光学素子）
３１　　グリップ爪（嵌着爪）
３２、４２　　嵌着ボス
４３　　溝（段差）
４５　　台（段差）
４６、５６　　支持部
５７　　スナップフィット（規制手段）
ｒ　　光ビーム
【図１】
2004001526.tif 000003
【図２】
2004001526.tif 000004
【図３】
2004001526.tif 000005
【図４】
2004001526.tif 000006
【図５】
2004001526.tif 000007
【図６】
2004001526.tif 000008
【図７】
2004001526.tif 000009
【図８】
2004001526.tif 000010
【図９】
2004001526.tif 000011
【図１０】
2004001526.tif 000012
【図１１】
2004001526.tif 000013
【図１２】
2004001526.tif 000014
【図１３】
2004001526.tif 000015
【図１４】
2004001526.tif 000016
【図１５】
2004001526.tif 000017
【図１６】
2004001526.tif 000018
【図１７】
2004001526.tif 000019
【図１８】
2004001526.tif 000020
【図１９】
2004001526.tif 000021
【図２０】
2004001526.tif 000022
【図２１】
2004001526.tif 000023
【図２２】
2004001526.tif 000024
【図２３】
2004001526.tif 000025
【図２４】
2004001526.tif 000026
【図２５】
2004001526.tif 000027
【図２６】
2004001526.tif 000028
【図２７】
2004001526.tif 000029
【図２８】
2004001526.tif 000030
【図２９】
2004001526.tif 000031
【図３０】
2004001526.tif 000032
【図３１】
2004001526.tif 000033